(57)【要約】【課題】コンクリート型枠支持用セパレーターを鉄筋に、当該鉄筋に対する溶接なしに取り付けることができる鉄筋へのセパレーター取付金具を提供する。【解決手段】押さえ部材１は、セパレーターＳの内端部を溶接できる断面門形のもので、その左右両側板部３ａ，３ｂの下辺には鉄筋が嵌まり込む位置決め用凹部５が形成され、押さえ部材１の天板部４には、その長さ方向一端側において当該天板部４の長さ方向に長い長孔６が設けられると共に、長さ方向他端から当該天板部４の長さ方向に長い切欠き長孔７が設けられ、Ｕボルト２は、その両端螺軸部８ａ，８ｂが押さえ部材１の天板部４の内側面側から前記長孔６と切欠き長孔７とを貫通するもので、当該両端螺軸部８ａ，８ｂにはナット９ａ，９ｂが螺嵌され、前記長孔６及び切欠き長孔７内でのＵボルト２の横動により、切欠き長孔７に対しＵボルト２の一端側の螺軸部８ａを出し入れできる構成。【選択図】図１
2006070615.tif 000002
【特許請求の範囲】
【請求項１】
押さえ部材とＵボルトとから成り、押さえ部材は、外側面にコンクリート型枠支持用セパレーターの内端部を溶接できる断面門形のもので、その左右両側板部の下辺には鉄筋が嵌まり込む鉄筋位置決め用凹部が形成され、押さえ部材の天板部には、その長さ方向一端側において当該天板部長さ方向に長い長孔が設けられると共に、長さ方向他端から当該天板部長さ方向に長い切欠き長孔が設けられ、Ｕボルトは、その両端螺軸部が押さえ部材の天板部内側面側から前記長孔と切欠き長孔とを貫通するもので、当該両端螺軸部には、Ｕボルトの内側を貫通する鉄筋を押さえ部材との間で締結するナットが螺嵌され、前記長孔及び切欠き長孔内でのＵボルトの横動により、切欠き長孔に対しＵボルト一端側の螺軸部を出し入れできるように構成された、鉄筋へのセパレーター取付金具。
【請求項２】
押さえ部材の天板部には、前記切欠き長孔側の端辺にナット外れ止め突出部が形成されている、請求項１に記載の鉄筋へのセパレーター取付金具。
【請求項３】
押さえ部材には、その外側面にセパレーター連結用雌ねじ孔を備えたナット部材が取り付けられている、請求項１または２に記載の鉄筋へのセパレーター取付金具。
【発明の詳細な説明】
【技術分野】
【０００１】
本発明は、コンクリート型枠支持用セパレーターを鉄筋に、当該鉄筋に対する溶接なしに取り付けることができる鉄筋へのセパレーター取付金具に関するものである。
【背景技術】
【０００２】
鉄筋コンクリート構造体を構築する場合、通常のようにコンクリート型枠板どうしをセパレーターで連結して間隔と位置を保持させることができない場合、コンクリート型枠内に配筋されている鉄筋にセパレーターの内端部を取り付けることが行われているが、従来は、鉄筋にセパレーター内端部を直接溶接して取り付けていた。
【発明の開示】
【発明が解決しようとする課題】
【０００３】
上記のような従来のセパレーター取付方法では、溶接時の熱で鉄筋の強度が低下することになり、設計通りの補強効果が得られなくなる恐れがあった。そこで鉄筋の任意の位置に取り付けることができる部材を使用し、この部材にセパレーターを溶接することが考えられたが、従来、この種の取付金具で、鉄筋への取付作業が容易且つ能率的に行えるものが提案されていなかった。
【課題を解決するための手段】
【０００４】
本発明は上記のような従来の問題点を解消し得る鉄筋へのセパレーター取付金具を提供することを目的とするものであって、その手段を後述する実施形態の参照符号を付して示すと、押さえ部材１とＵボルト２とから成り、押さえ部材１は、外側面にコンクリート型枠支持用セパレーターＳの内端部を溶接できる断面門形のもので、その左右両側板部３ａ，３ｂの下辺には鉄筋が嵌まり込む位置決め用凹部５が形成され、押さえ部材１の天板部４には、その長さ方向一端側において当該天板部４の長さ方向に長い長孔６が設けられると共に、長さ方向他端から当該天板部４の長さ方向に長い切欠き長孔７が設けられ、Ｕボルト２は、その両端螺軸部８ａ，８ｂが押さえ部材１の天板部４の内側面側から前記長孔６と切欠き長孔７とを貫通するもので、当該両端螺軸部８ａ，８ｂには、Ｕボルト２の内側を貫通する鉄筋Ｒを押さえ部材１との間で締結するナット９ａ，９ｂが螺嵌され、前記長孔６及び切欠き長孔７内でのＵボルト２の横動により、切欠き長孔７に対しＵボルト２の一端側の螺軸部８ａを出し入れできる構成となっている。
【０００５】
上記構成の本発明を実施するについて、請求項２に記載のように、押さえ部材１の天板部２には、前記切欠き長孔７側の端辺にナット外れ止め突出部１０を形成することができる。また、請求項３に記載のように、押さえ部材１には、その外側面にセパレーター連結用雌ねじ孔１１ａを備えたナット部材１１を取り付けておくこともできる。
【発明の効果】
【０００６】
上記構成の本発明に係る鉄筋へのセパレーター取付金具によれば、押さえ部材とＵボルトとの間を貫通させた鉄筋を当該Ｕボルト両端螺軸部のナットを締め付けることにより、押さえ部材の左右両側板部の位置決め用凹部と鉄筋との嵌合により、押さえ部材を一定姿勢で強固に鉄筋に取り付けることができ、後はセパレーターの内端部を押さえ部材の外側面適当位置に溶接することにより、鉄筋にセパレーターを直接溶接することによる鉄筋の強度低下を招くことなく、鉄筋にセパレーター内端部を強固に結合し、このセパレーターの外端部に取り付けたコンクリート型枠板を前記鉄筋に保持させることができる。
【０００７】
しかも本発明の構成によれば、本金具（押さえ部材）を鉄筋に取り付けるとき、Ｕボルトと押さえ部材とを押さえ部材長さ方向に相対的にスライドさせて、押さえ部材の切欠き長孔からＵボルトの一端螺軸部を側方に抜出させ、この状態でＵボルトと押さえ部材とをＵボルトの他端螺軸部を中心に９０度相対回転させれば、切欠き長孔から離脱させたＵボルトの一端螺軸部と押さえ部材との間に鉄筋を押さえ部材と平行な向きで相対的に嵌め込むことができ、係る状態でＵボルトと押さえ部材とを元の状態まで逆方向に相対回転させると共にスライドさせることにより、切欠き長孔から離脱させたＵボルトの一端螺軸部を元通り切欠き長孔に嵌装させ、押さえ部材とＵボルトとの間で鉄筋が押さえ部材に対し直交する向きに貫通する状態とすることができる。従って、Ｕボルトの両端螺軸部から２つのナットを完全に取り外して当該Ｕボルトを押さえ部材から分離させ、両者間で鉄筋を挟むようにしてＵボルトの両端螺軸部を押さえ部材の長孔に挿通させる必要がなく、本金具（押さえ部材）を鉄筋に取り付ける作業が容易且つ能率的に行える。
【０００８】
尚、請求項２に記載の構成によれば、Ｕボルトの両端螺軸部に螺嵌するナットが使用状態において多少弛んでも、振動などでＵボルトの一端螺軸部が切欠き長孔から抜出して外れてしまう恐れが無くなり、安全性を高めることができる。また、請求項３に記載の構成によれば、押さえ部材の外側面の内、セパレーター内端部を溶接できる領域が狭められるが、取り付けるセパレーターの向きによっては、溶接に頼らずに、ナット部材のセパレーター連結用雌ねじ孔を利用してセパレーターをねじ結合することも可能になり、作業性を高めることができる。
【発明を実施するための最良の形態】
【０００９】
以下に本発明の具体的実施例を添付図に基づいて説明すると、図１において、１は押さえ部材、２はＵボルトである。押さえ部材１は、鉄板を断面門形に曲げ加工して構成されたもので、左右両側板部３ａ，３ｂと天板部４とを備えている。左右両側板部３ａ，３ｂの下辺には、鉄筋Ｒの周面の一部が嵌合して当該鉄筋Ｒがこの押さえ部材１に対し直交する向きに位置決めされる円弧形の位置決め用凹部５が形成され、天板部４には、その長さ方向一端側において当該天板部４の長さ方向に長くて両端が閉じた長孔６が設けられると共に、長さ方向他端から当該天板部４の長さ方向に長い切欠き長孔７が設けられている。
【００１０】
Ｕボルト２は、その両端螺軸部８ａ，８ｂが若干先端広がりに傾斜するもので、当該両端螺軸部８ａ，８ｂが押さえ部材１の天板部４の内側面側から前記長孔６と切欠き長孔７とを貫通し、押さえ部材１から突出する両端螺軸部８ａ，８ｂにはそれぞれナット９ａ，９ｂが螺嵌されている。
【００１１】
尚、押さえ部材１における天板部４の切欠き長孔７のある側の端部、即ち、切欠き長孔７の開口端左右両側には、ナット外れ止め用突出部１０が一体形成されている。
【００１２】
上記構成の本案金具を鉄筋Ｒに取り付けるときは、図１に示すようにＵボルト２の両ナット９ａ，９ｂを弛めた状態で、Ｕボルト２を押さえ部材１の長さ方向で切欠き長孔８のある側へスライドさせて一端螺軸部８ａを切欠き長孔８から離脱させると共に、押さえ部材１とＵボルト２とを、長孔７を貫通している他端螺軸部８ｂを中心に９０度相対回転させる。換言すれば、このような操作が可能なように、Ｕボルト２の両端螺軸部８ａ，８ｂ間の間隔と長孔７及び切欠き長孔８の長さが決められている。
【００１３】
上記のように操作して、押さえ部材１に対しＵボルト２を直交向きにした状態では、Ｕボルト２の一端螺軸部８ａと押さえ部材１との間が開放されるので、図２に示すように、鉄筋ＲがＵボルト２の一端螺軸部８ａと押さえ部材１との間に押さえ部材１と平行向きで入り込むように、本案金具を鉄筋Ｒに対して嵌合させる。この後、図２に仮想線で示すように、押さえ部材１をＵボルト２の他端螺軸部８ｂの周りに９０度、鉄筋Ｒに被せる向きに回転させると共に、押さえ部材１をＵボルト２の一端螺軸部８ａの側へスライドさせて、図３に示すように、切欠き長孔８内にＵボルト２の一端螺軸部９ａを嵌入させる。
【００１４】
上記操作により、Ｕボルト２の間を閉じる状態の押さえ部材１と当該Ｕボルト２との間に鉄筋Ｒが貫通した状態となるので、係る状態でＵボルト２の２つのナット９ａ，９ｂを締め付けることにより、図１Ｃに示すように、押さえ部材１とＵボルト２との間で鉄筋Ｒを挟み付け、以て、本案金具を鉄筋Ｒに強固に固定することができる。このとき鉄筋Ｒは、押さえ部材１の左右両側板部３ａ，３ｂの下辺の各位置決め用凹部５に嵌合し、押さえ部材１が鉄筋Ｒに対し直交する向きに位置決めされている。また、Ｕボルト２の一端螺軸部８ａに螺嵌するナット９ａは、ナット外れ止め用突出部１０の内側で天板部４上に当接するように締結操作することにより、ナット９ａ，９ｂが多少弛んでも、振動などでＵボルト２が切欠き長孔７の側へ移動して、一端螺軸部８ａが切欠き長孔７から脱落するのを防止できる。
【００１５】
以上のようにして鉄筋Ｒの所要箇所に本案金具を固定したならば、図１Ｃ及び図３に仮想線で示すように、セパレーターＳの内端部を押さえ部材１の左右両側板部３ａ，３ｂの外側面や天板部４の外側面（上面）など、任意の箇所に溶接にて固着することができる。当該セパレーターＳの図外の外端部には、従来周知の方法でコンクリート型枠板が保持される。
【００１６】
尚、図４に示すように、押さえ部材１の天板部４の外側面に、セパレーターＳの内端螺軸部を螺合させることができる雌ねじ孔１１ａを備えたナット部材１１を、長孔７や切欠き長孔８を貫通するＵボルト２の両端螺軸部８ａ，８ｂと干渉しないように溶接などで取り付けることができる。この構成によれば、押さえ部材１の左右両側板部３ａ，３ｂの外側面にはセパレーターＳの内端部を溶接で固着することができるが、鉄筋Ｓと平行な向きにセパレーターＳを取り付けるときは、そのセパレーターＳの内端螺軸部を前記ナット部材１１の雌ねじ孔１１ａに螺合して、溶接に頼らずに取り付けることができる。前記ナット部材１１は、図５に示すように、押さえ部材１の左右両側板部３ａ，３ｂの少なくとも何れか一方に、例えば押さえ部材１の長さ方向と平行な向き（または押さえ部材１の長さ方向に対し直交する向き）に取り付けることもできる。
【００１７】
更に、図６に示すように、セパレーターＳを鉄筋Ｒと平行に取り付けるときは、鉄筋Ｒに本案金具を上記のようにして取り付ける際に、セパレーターＳの内端部を押さえ部材１の位置決め用凹部５と鉄筋Ｒとの間に挟んで、鉄筋ＲとセパレーターＳの両者を押さえ部材１とＵボルト２との間で挟持固定することもできる。この場合、本案金具の鉄筋Ｒに対する向きがＵボルト２で決められ、セパレーターＳの本案金具に対する向きは、押さえ部材１の位置決め用凹部５で決められることになる。
【図面の簡単な説明】
【００１８】
【図１】Ａ図は正面図，Ｂ図は側面図、Ｃ図は使用状態を示す縦断正面図である。
【図２】鉄筋に本案金具を取り付ける際の第一段階を示す平面図である。
【図３】使用状態での平面図である。
【図４】Ａ図は第一変形例を示す押さえ部材の正面図、Ｂ図はＡ図のＸ−Ｘ線断面図である。
【図５】Ａ図は第二変形例を示す押さえ部材の正面図、Ｂ図は同側面図である。
【図６】別の使用例を示す縦断正面図である。
【符号の説明】
【００１９】
１    押さえ部材
２    Ｕボルト
３ａ，３ｂ    左右両側板部
４    天板部
５    位置決め用凹部
６    両端が閉じた長孔
７    切欠き長孔
８ａ，８ｂ    Ｕボルトの両端螺軸部
９ａ，９ｂ    ナット
１０    ナット外れ止め用突出部
１１    ナット部材
【図１】
2006070615.tif 000003
【図２】
2006070615.tif 000004
【図３】
2006070615.tif 000005
【図４】
2006070615.tif 000006
【図５】
2006070615.tif 000007
【図６】
2006070615.tif 000008